(57)【要約】【課題】  簡易な構成で製造容易であり、安全無害かつ非常に安価に冷涼感や温熱感を与えられ、しかも、簡便に反復使用でき、携帯しての使用に適したスプレーを提供すること。【解決手段】  液体を収容する容器部と、その容器部から外部へ液体を噴霧する噴霧部とを備え、携帯可能な形状であるスプレーにおいて、容器部の壁部が、その開口部を介して充填される液体の温度を保持する保温機能を有する多層構造であり、容器部の開口部が、液体を補充しての反復使用を容易にする蓋部を着脱自在に有し、容器部に、水または水を主成分とする液体またはその氷結体を充填して、その噴霧に使用可能とする。【選択図】  図１
2011004440.tif 000002
【特許請求の範囲】
【請求項１】
液体を収容する容器部と、その容器部から外部へ液体を噴霧する噴霧部とを備え、携帯可能な形状であるスプレーにおいて、
容器部の壁部が、その開口部を介して充填される液体の温度を保持する保温機能を有する多層構造であり、
容器部の開口部が、液体を補充しての反復使用を容易にする蓋部を着脱自在に有し、
容器部に、水または水を主成分とする液体またはその氷結体を充填して、その噴霧に使用可能である
ことを特徴とするスプレー。
【請求項２】
容器部の壁部における層間の中空部位が、略真空である
請求項１に記載のスプレー。
【請求項３】
容器部の壁部における層間の中空部位に、断熱材が配備された
請求項１に記載のスプレー。
【請求項４】
容器部の壁部における層間の中空部位に、保冷材または保温材が配備された
請求項１に記載のスプレー。
【請求項５】
容器部の外面に、断熱材が装着された
請求項１ないし４のいずれかに記載のスプレー。
【請求項６】
容器部に収容された液体を冷却する冷却装置と、その冷却装置へ電力を供給する給電手段とが付設された
請求項１ないし５のいずれかに記載のスプレー。
【発明の詳細な説明】
【技術分野】
【０００１】
本発明は、例えば皮膚に水を噴霧し気化熱により冷やす機能など、冷涼感や温熱感を提供できるスプレーに関する。
【背景技術】
【０００２】
従来から、霧吹きなどを用いて水を皮膚に噴霧すると、気化熱によって冷涼感が得られることが知られている。
しかし、噴霧する水は低温ほど有効であるが、冷水を噴霧する装置は、従来にはなかった。同様に、温水を噴霧する装置も、従来にはなかった。【０００３】
関連する従来技術としては、防虫スプレーや香水のスプレーが挙げられる。スプレーに関する従来技術には、特許文献１〜４などがある。
このようなスプレーは、内容物の液体を噴霧する機能を備え、皮膚に噴霧して利用可能な点や、携帯して利用可能な点も類似している。しかし、内容物が異なり用途が異なるので、内容物を収容保持するための構造も異なる。例えば、内容物を保温する機能は考慮されていない。また、内容物を日常的に頻繁に補充しての使用に適した構造も考慮されていない。【０００４】
保温に関する従来技術としては、いわゆる魔法瓶が挙げられる。魔法瓶に関する従来技術には、特許文献５〜７などがある。
このような容器は、内容物の液体の温度を保持する機能を備え、冷水を収容可能な点や、水筒のように携帯して利用可能な点も類似している。しかし、用途が異なり、内容物を噴霧する機能は考慮されていない。また、水筒では大きいため日常的に携帯所持しての使用には適さない。【０００５】
このように、従来技術では、皮膚に冷水を噴霧し気化熱により冷やすスプレー、特に、水の温度を保持でき、簡便に冷水を補充して反復使用でき、携帯しての使用に適したスプレー及びその類似品はなかった。また、簡易な構成で製造容易でありながらも市販品がなかったので、それを提供しようという発想もなかったといえる。
温水を噴霧する装置についても同様である。
【先行技術文献】
【特許文献】
【０００６】
【特許文献１】特開２００８−２９５８４９  「スプレー容器」
【特許文献２】特開２００８−１１０８０２  「スプレーヘッド及びそれを備えたスプレー容器」
【特許文献３】特開２００６−２１８４５１  「スプレーガン」
【特許文献４】特開２００６−１２２７３３  「流体スプレー噴霧用ノズル装置」
【特許文献５】特開２００８−２２８９８５  「電気貯湯容器」
【特許文献６】特開２００７−１２６１８６  「蓋体ロック構造」
【特許文献７】特開２００６−１７７４９７  「真空断熱材、及び、その製造方法、並びに、その真空断熱材を用いた断熱箱体」
【発明の概要】
【発明が解決しようとする課題】
【０００７】
そこで、本発明は、簡易な構成で製造容易であり、安全無害かつ非常に安価に冷涼感や温熱感を与えられ、しかも、簡便に反復使用でき、携帯しての使用に適したスプレーを提供することを課題とする。
【課題を解決するための手段】
【０００８】
上記課題を達成するため、本発明のスプレーは、次の構成を備える。
すなわち、液体を収容する容器部と、その容器部から外部へ液体を噴霧する噴霧部とを備え、携帯可能な形状であるスプレーにおいて、容器部の壁部が、その開口部を介して充填される液体の温度を保持する保温機能を有する多層構造であり、容器部の開口部が、液体を補充しての反復使用を容易にする蓋部を着脱自在に有し、容器部に、水または水を主成分とする液体またはその氷結体を充填して、その噴霧に使用可能であることを特徴とする。【０００９】
ここで、容器部の壁部における層間の中空部位を略真空に構成して保温に寄与させてもよい。【００１０】
同様に、容器部の壁部における層間の中空部位に断熱材を配備して保温に寄与させてもよい。【００１１】
容器部の壁部を多層構造における層間の中空部位に保冷材または保温材を配備して保温に寄与させてもよい。【００１２】
また、容器部の外面に、断熱材を装着して保温に寄与させてもよい。【００１３】
容器部に収容された液体を冷却する冷却装置と、その冷却装置へ電力を供給する給電手段とが付設して、能動的な冷却に寄与させてもよい。
【発明の効果】
【００１４】
本発明によると、携帯に適したスプレーにより容易に冷涼感や温熱感を得られる。しかも、簡便に反復使用でき、安全無害かつ非常に安価な利点もある。
【図面の簡単な説明】
【００１５】
【図１】スプレーの要部を示す正面断面図
【図２】別実施例のスプレーを示す正面図
【図３】別実施例のスプレーを鞄に取り付けた状態示す正面図
【発明を実施するための最良の形態】
【００１６】
以下に、本発明の実施形態を図面に基づいて説明する。
ここでは、製品の例として、容器部が略円筒状のものを示すが、水や氷を収容できれば容器部の形状は任意であり、また、変形可能な弾性を有するものでもよい。
なお、実施形態は下記の例示に限らず、本発明の趣旨から逸脱しない範囲で、前記文献など従来公知の技術を用いて適宜設計変更可能である。【００１７】
図１は、本発明によるスプレーの要部を示す正面断面図である。
液体を収容する容器部（１０）は、上端に略円形の開口部（１１）を備え、その開口部（１１）には、着脱自在な蓋部（２０）が装着される。
開口部（１１）は、大径であると、氷などの補充が容易になる。そのため、容器部（１０）の内径と略等しい径に設計してもよい。【００１８】
図示の例の蓋部（２０）は、開口部（１１）の側壁のネジに噛合するネジを有し、回転によって開口部（１１）に着脱されるものである。蓋部（２０）は、開口部（１１）を開蓋閉蓋できるものであればよく、従来公知の構成を適宜利用できる。
蓋部（２０）は容易に着脱できるので、容器部（１０）の液体が減った際に、簡便に補充できるので、本スプレーを反復利用できる。【００１９】
蓋部（２０）には、吸い上げポンプ（２１）及び噴霧ノズル（２２）が備わる。吸い上げポンプ（２１）の構造は、従来公知のスプレー付設物が適宜利用できる。なお、吸い上げポンプ（２１）及び噴霧ノズル（２２）は、必ずしも蓋部（２０）に設ける必要なく、容器部（１０）に接続してもよい。
噴霧ノズル（２２）は、着脱自在に構成してもよい。別の種類のノズルに付け替えることによって、噴霧する角度範囲や噴霧量などを調整してもよい。同様に、噴霧ノズル（２２）を回転させて設置角度を変えるなど、設置状態を変えることによって、噴霧する角度範囲や噴霧量などを調整してもよい。このようなノズルの構造も、従来公知のスプレー付設物が適宜利用できる。
なお、蓋部（２０）や噴霧ノズル（２２）の周辺は、外蓋（３０）によって被覆保護される。図示の例の外蓋（３０）は、容器部（１０）の上端外周部と凹凸嵌合されるが、容器部（１０）との着脱機構は従来公知の技術を適宜利用できる。また、外蓋（３０）は、必ずしも必須ではない。【００２０】
容器部（１０）の壁部は、収容する液体の温度を保持する保温機能を有する多層構造である。
図示の例の壁部は、全ての面が外壁（１２）及び内壁（１３）の２層構造であるが、広い面積を有する側壁のみを２層構造にし、開口部（１１）近傍や底面を単層構造にしてもよいし、３層以上の構造にしてもよい。【００２１】
本実施例では、外壁（１２）と内壁（１３）の間の中空部位（１４）は、略真空であるが、製造の簡便さのために、常圧に設計してもよい。
外壁（１２）や内壁（１３）には、ステンレス等の金属や合成樹脂やガラスなどが使用できる。ガラスを用いる場合は、中空部位（１４）に対向する面を鏡面にしたいわゆる魔法瓶構造が好ましい。【００２２】
中空部位（１４）には、断熱材や保冷材や保温材を配置させてもよい。断熱材や保冷材や保温材の種類としては、軽量の発泡断熱材など従来公知のものが適宜利用できる。【００２３】
図２は、別実施例のスプレーを示す正面図である。
図２（Ａ）の例では、容器部（１０）の側壁部に、断熱材として略環状のラバー（４０）が装着されている。これによって、内容物の保温の他に、スプレーを把持する手の熱の伝導も抑止される。【００２４】
図２（Ｂ）の例では、容器部（１０）が、断熱材として略袋状のラバー（４１）に収納されている。これによって、内容物の保温の他に、スプレーを把持する手の熱の伝導も抑止される。
また、ラバー（４１）には、携帯所持の利便のためにストラップ（４２）が付設されている。【００２５】
図３は、別実施例のスプレーを鞄に取り付けた状態示す正面図である。
スプレーは、雪だるまを模した形状のケース（４３）に収納され、鞄（５０）に取り付けられている。ケース（４３）は布などでも構成可能であるが、断熱材を用いることが好ましい。
ケース（４３）の形状を、動植物やキャラクターなど多種多様にすることで、意匠性を有するアクセサリーとしても利用可能であり、所持したくなる動機付けにもつながる。なお、スプレー自体をこのような形状に成形してもよい。【００２６】
更に、別実施例として、容器部（１０）に収容された液体を冷却する冷却装置と、その冷却装置へ電力を供給する給電手段とを付設して構成してもよい。
冷却装置としては、ペルチェ素子など、従来公知のものが適宜利用できる。
給電手段としては、太陽電池や、環境振動発電デバイスなどの振動発電装置や、回転運動によるエネルギーを蓄電する人力発電装置や、電池など従来公知のものが適宜利用できる。例えば、太陽電池や振動発電装置であれば、鞄にぶら下げて所持しているだけで蓄電でき、冷却を行うことが可能である。【００２７】
同様に、容器部（１０）に収容された液体を加熱する加熱装置と、その加熱装置へ電力を供給する給電手段とを付設して構成してもよい。これによると、能動的に容器部（１０）に収容された液体を熱して熱水の噴霧に寄与できる。【００２８】
使用に当たっては、開口部（１１）を介して容器部（１０）に、水または水を主成分とする液体、または、それらのいずれかの氷結体を充填し、吸い上げポンプ（２１）を介して噴霧ノズル（２２）から、皮膚に噴霧し気化熱により冷やす。
補充は、蓋部（２０）の開閉のみで容易に行え、単なる水道水であっても、夏場の気温よりはだいぶ低いので、保温機能を有する本スプレーであれば、冷たい噴霧を与えられる。
同様に、単なる水道水であっても、冬場の気温よりは高いので、保温機能を有する本スプレーであれば、暖かみのある噴霧を与えられる。
また、噴霧対象は、皮膚に限らず、ハンカチや衣服などでもよい。【００２９】
水に、香料を添加して充填することで、香りを楽しめる付加価値を与えてもよいし、化粧水等の薬効成分を添加して充填することで、薬効の付加価値を与えてもよい。【００３０】
また、容器部（１０）の容量を大きめに設計して、水筒としても兼用できる形態にしてもよい。
【産業上の利用可能性】
【００３１】
本発明のスプレーによると、冷涼感や温熱感を、随時簡単に、しかも安全無害かつ非常に安価に提供でき、産業上利用価値が高い。
【符号の説明】
【００３２】
１０  容器部
１１  開口部
１２  外壁
１３  内壁
１４  中空部位
２０  蓋部
２１  吸い上げポンプ
２２  噴霧ノズル
３０  外蓋
４０  環状ラバー
４１  袋状ラバー
４２  ストラップ
４３  ケース
５０  鞄
【図１】
2011004440.tif 000003
【図２】
2011004440.tif 000004
【図３】
2011004440.tif 000005
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
液体を収容する容器部と、その容器部から外部へ液体を噴霧する噴霧部とを備え、携帯可能な形状であり、冷涼感を得るためのスプレーであって、
容器部に充填される内容物が、水または水を主成分とする液体またはその氷結体であり、
容器部の壁部が、その開口部を介して充填される内容物の低温状態を保持する低温保持機能を有する多層構造であり、
容器部の開口部が、内容物を補充しての反復使用を可能にする蓋部を着脱自在に有し、
蓋部が、手指での着脱を容易にする着脱機構を備え、
容器部に、水または水を主成分とする液体またはその氷結体を充填または補充して携帯所持容易であると共に、冷水を皮膚に噴霧することにより、その気化熱によって冷涼感を得ることが反復容易である
ことを特徴とするスプレー。
【請求項２】
容器部の壁部における層間の中空部位が、略真空である
請求項１に記載のスプレー。
【請求項３】
容器部の壁部における層間の中空部位に、断熱材が配備された
請求項１に記載のスプレー。
【請求項４】
容器部の壁部における層間の中空部位に、保冷材または保温材が配備された
請求項１に記載のスプレー。
【請求項５】
容器部の外面に、断熱材が装着された
請求項１ないし４のいずれかに記載のスプレー。
【請求項６】
容器部に収容された液体を冷却する冷却装置と、その冷却装置へ電力を供給する給電手段とが付設された
請求項１ないし５のいずれかに記載のスプレー。
【請求項７】
容器部が、鞄またはポケットに収納可能で携帯に適した小型の略筒状である
請求項１ないし６いずれかに記載のスプレー。
【請求項８】
少なくとも壁部が、携帯所持時に生じる衝撃に対する高耐久性を有した材質である
請求項１ないし７いずれかに記載のスプレー。
【請求項９】
壁部がステンレス製である
請求項８に記載のスプレー。
【請求項１０】
開口部の径が、容器部の内径と略等しく、氷の挿通補充が容易に行える
請求項１ないし９のいずれかに記載のスプレー。
【請求項１１】
スプレーを出入自在に収納し意匠性を有するケースと、ストラップとが付設された
請求項１ないし１０のいずれかに記載のスプレー。
【請求項１２】
噴霧部が蓋部に設けられ、その蓋部を被覆すると共に着脱自在に設置される外蓋を備え、その外蓋が単層構造である
請求項１ないし１１のいずれかに記載のスプレー。
【請求項１３】
蓋部と容器部との間に、断熱及び防水性を有するパッキングを備える
請求項１ないし１２のいずれかに記載のスプレー。
【国際調査報告】
2011004440.tif 000006
2011004440.tif 000007
2011004440.tif 000008
2011004440.tif 000009